(57)【要約】【課題】安全性が高くカード入れ替えが不要な、複数のＩＣカードに対応した車載用自動料金決済装置を提供することを目的とするものである。【解決手段】車載用自動料金決済装置１０の制御を行う制御部１１と、制御部１１からの指示に合わせてＩＣカードに関する処理を行うカード処理部１４を有し、カード処理部１４が、ＩＣカードにアクセスするためのカードＩ／Ｆ部１５と、ＩＣカード情報などを記憶するためのメモリ１６を有する。これにより、メモリ１６にカード情報を記憶することで、複数のカードをカード入れ替えなしに使用することができる。また、キーカードを入れないとＩＣカード情報を使用できないようにすることで、安全性を確保することができる。【選択図】図１
2012203621.tif 000002
【特許請求の範囲】
【請求項１】
検知したＩＣカードから情報を読み出すカードＩ／Ｆ部と、
このカードＩ／Ｆ部から読み出した情報を記憶するメモリと、
前記カードＩ／Ｆ部とメモリから読み出した情報に基づいて料金決済に使用するＩＣカードを決定し、この決定したＩＣカードの情報を用いて料金決済処理を行うカード処理部とを備え、
このカード処理部は、鍵として用いられるキーカードの情報とＩＣカードの情報とを関連付けて前記メモリに記憶し、前記カードＩ／Ｆ部が前記キーカードを検知したときのみ前記メモリに登録されたＩＣカードを使用可能にすることを特徴とする車載用自動料金決済装置。
【請求項２】
前記カード処理部は、前記キーカードと自装置との関連付けを行い、前記カードＩ／Ｆ部が前記キーカードを検知したとき、前記メモリに記憶されたＩＣカード情報を使用可能にすることを特徴とする請求項１に記載の車載用自動料金決済装置。
【請求項３】
前記カード処理部は、前記カードＩ／Ｆ部が読み出したＩＣカード情報を前記メモリとキーカードに分けて記憶し、前記カードＩ／Ｆ部が前記キーカードを検知したとき、前記メモリとキーカードに記憶されたＩＣカード情報を復元して関連付けられたＩＣカード情報を使用可能にすることを特徴とする請求項１に記載の車載用自動料金決済装置。
【発明の詳細な説明】
【技術分野】
【０００１】
本発明は、有料道路の料金所やドライブスルーの店舗等で料金の決済を行う車載用自動料金決済装置に関するものである。
【背景技術】
【０００２】
従来の車載用自動料金決済装置として、有料道路の料金所で料金の決済を行うものが知られている。また、ドライブスルーの店舗や駐車場などの料金の決済を行うものも考えられている。これらの車載用自動料金決済装置は、路側装置と狭域通信（ＤＳＲＣ（Ｄｅｄｉｃａｔｅｄ  Ｓｈｏｒｔ  Ｒａｎｇｅ  Ｃｏｍｍｕｎｉｃａｔｉｏｎｓ））を行い、料金の決済を行っている。決済は、ＥＴＣカードやクレジットカードなどのＩＣカードを用いて行う。有料道路の決済には、ＥＴＣカードが用いられ、その他の決済には、クレジットカードが用いられる。そのため、複数のＩＣカードを使用できる車載用自動料金決済装置が、多く実現、検討されている。
【０００３】
従来の複数のＩＣカードに対応した車載用自動料金決済装置として、１つのカードホルダーを有し、アプリケーションごとに対応するＩＣカードを挿入するシステムが知られている。このようなシステムの場合、アプリケーションごとにＥＴＣカードとクレジットカードの入れ替えが必要であり、利便性に課題があった。また、ＩＣカード抜き忘れによる盗難に対する安全性も課題であった。
【０００４】
この課題を解決できる従来の車載用自動料金決済装置として、車載用自動料金決済装置内のＩＣチップに複数のカード情報を登録することで、カード挿入、交換を行うことなく決済を行うことができるものが知られている（例えば特許文献１）。
【先行技術文献】
【特許文献】
【０００５】
【特許文献１】特開２００４−４６８１５号公報
【発明の概要】
【発明が解決しようとする課題】
【０００６】
しかしながら、複数のＩＣカードに対応した車載用自動料金決済装置の利便性を高めるために、車載用自動料金決済装置内のＩＣチップにカード情報を登録すると、車両盗難時などで他人に車両が使われたときに自由にカード情報が使われてしまうという問題があった。
【０００７】
本発明は、従来の問題を解決するためになされたもので、複数のＩＣカードを使用する場合に安全性と利便性を両立することができる車載用自動料金決済装置を提供することを目的とする。
【課題を解決するための手段】
【０００８】
上記目的を達成するために、本発明の車載用自動料金決済装置は、カード処理部が、鍵として用いられるキーカードの情報とＩＣカードの情報とを関連付けてメモリに記憶し、カードＩ／Ｆ部が前記キーカードを検知したときのみ前記メモリに登録されたＩＣカードを使用可能にすることを特徴とする。
【発明の効果】
【０００９】
本発明によれば、キーカードを用いれば、複数のＥＴＣカードとクレジットカードを入
れ替えなしで使用することができる。また、キーカードを用いたときのみ、ＩＣカードのカード情報を使用することができる。そのため、安全性と利便性を両立できるという効果を奏する。
【図面の簡単な説明】
【００１０】
【図１】本発明の実施の形態１における車載用自動料金決済装置の構成を示すブロック図
【図２】本発明の実施の形態１における自動料金決済車載装置のメモリマップを説明する図
【図３】本発明の実施の形態１における自動料金決済車載装置のＩＣカード情報とキーカード情報の登録処理を説明するフローチャート図
【図４】本発明の実施の形態１における自動料金決済車載装置のＩＣカードの使用準備処理を説明するフローチャート図
【図５】本発明の実施の形態１における車載用自動料金決済装置の決済処理を説明するフローチャート図
【図６】本発明の実施の形態１の変形例１における車載用自動料金決済装置のＩＣカード情報とキーカード情報の登録処理を説明するフローチャート図
【図７】（ａ）本発明の実施の形態１の変形例２における車載用自動料金決済装置のＩＣカード情報の登録処理を説明するフローチャート図（ｂ）本発明の実施の形態１の変形例２における車載用自動料金決済装置のキーカード情報の登録処理を説明するフローチャート図
【図８】（ａ）本発明の実施の形態１の変形例３における車載用自動料金決済装置のキーカード情報の登録処理を説明するフローチャート図（ｂ）本発明の実施の形態１の変形例２における車載用自動料金決済装置のＩＣカード情報の登録処理を説明するフローチャート図
【図９】本発明の実施の形態２における車載用自動料金決済装置のキーカードリストと関連付けリストに関するメモリマップを説明する図
【図１０】本発明の実施の形態２における車載用自動料金決済装置のＩＣカード情報の登録処理を説明するフローチャート図
【図１１】本発明の実施の形態２における車載用自動料金決済装置のキーカード情報の登録処理を説明するフローチャート図
【図１２】本発明の実施の形態２における車載用自動料金決済装置のＩＣカードの使用準備処理を説明するフローチャート図
【図１３】本発明の実施の形態３における車載用自動料金決済装置のＩＣカード情報とキーカード情報の登録処理を説明するフローチャート図
【図１４】本発明の実施の形態３における車載用自動料金決済装置のＩＣカードの使用準備処理を説明するフローチャート図
【発明を実施するための形態】
【００１１】
（実施の形態１）
以下、本発明の実施の形態１における車載用自動料金決済装置について図面を参照しながら説明する。
【００１２】
図１は本発明の実施の形態１における車載用自動料金決済装置のブロック図である。
【００１３】
図１において、車載用自動料金決済装置１０は、車載用自動料金決済装置１０の制御を行う制御部１１と、制御部１１からの指示に合わせて狭域通信を制御する狭域通信部１２を有する。さらに、車載用自動料金決済装置１０は、この狭域通信部１２に接続し、狭域通信を行うアンテナ１３を有する。また、車載用自動料金決済装置１０は、制御部１１からの指示に合わせてＩＣカードに関する処理を行うカード処理部１４を有する。加えて、
車載用自動料金決済装置１０は、カード処理部１４がＩＣカード１７にアクセスするためのカードＩ／Ｆ部１５と、ＩＣカードなどの情報を記憶するメモリ１６を有する。
【００１４】
ここで、メモリ１６に記憶される情報について説明する。図２は本発明の実施の形態１における自動料金決済車載装置のメモリマップを説明する図である。
【００１５】
図２に示すように、メモリ１６は、不揮発性メモリとＲＡＭの２つを有する。この不揮発性メモリには、ＩＣカード情報とキーカードリストと関連付けリストが記憶される。ＲＡＭには、使用準備完了リストが記憶される。
【００１６】
ＩＣカード情報は、ＥＴＣカードやクレジットカードが有するカード情報で構成される。具体的には、ＩＣカード情報は、ＩＣカードに固有のカード番号や名義など決済に必要な情報で構成される。
【００１７】
キーカードリストは、カードＩ／Ｆ部１５から読み出されて不揮発性メモリに記憶された各キーカードのキーカード情報のリストである。例えば、図２のキーカードリストに示すように、キーカード情報は、キーカードを検索するために必要なキーカード検索番号やキーカードに関連付けられた関連付けリストのアドレス情報を有する。キーカード検索番号は、ＩＣカードが持つ固有のカード番号、名義などの情報から生成される番号である。このキーカード検索番号はカード処理部１４によって生成される。キーカードリストは、キーカードがカードＩ／Ｆ部１５に検知された時に検索され、後述する使用準備完了リストの作成に使用される。
【００１８】
ここで、キーカードは、メモリ１６に登録されたＩＣカード情報を使用するときに車載用自動料金決済装置１０に挿入しなければならない鍵となるカードを意味する。キーカードは、専用のＩＣカードであっても、汎用のＥＴＣカードやクレジットカードであってもよい。
【００１９】
関連付けリストは、キーカードに関連付けられたＩＣカードのリストである。キーカード１枚に対して、関連付けリストが１つ対応付けられている。具体的には、キーカードリストに１つの関連付けリストアドレスが記憶されている。関連付けリストは、キーカードリストからリンクして参照され、後述の使用準備完了リストの作成に使用される。また、関連付けリストには、例えば、図２に示すように、ＩＣカード情報のアドレスであるカード情報アドレスが記憶されている。
【００２０】
使用準備完了リストは、現在使用できるＩＣカードのリストであり、車載用自動料金決済装置１０に挿入されたＩＣカードまたはキーカードに関連付けられたＩＣカードの一覧である。図２に示すように、例えば使用準備完了リストには、使用するＩＣカードを決定するための情報である利用種別とＩＣカード情報を取得するために必要な保存先種別とカード情報アドレスが記憶されている。また、キーカード検索番号と同様に通常のＩＣカードに対しても、関連付けリストなどにＩＣカード検索番号を記憶してもよい。記憶されたＩＣカード検索番号が使用されることによって、ＩＣカードの検索が容易になる。また、カード処理部１４は、同じＩＣカード検索番号が既に関連付けリスト中に登録されている場合に新たに登録しようとしているＩＣカードを登録しないようにしてもよい。これによって、ＩＣカードの重複登録を防止することができる。
【００２１】
以上のように構成された車載用自動料金決済装置１０について、以下にその処理動作を説明する。
【００２２】
図３は本発明の実施の形態１における車載用自動料金決済装置１０のＩＣカード情報と
キーカード情報の登録処理を説明するフローチャート図である。図４は、本発明の実施の形態１における車載用自動料金決済装置１０のＩＣカードの使用準備処理を説明するフローチャート図である。図５は、本発明の実施の形態１における車載用自動料金決済装置１０の決済処理を説明するフローチャート図である。
【００２３】
まず、図３に示すように、ＩＣカードおよびキーカードの登録処理について説明する。図示しない入力手段を介したユーザから、ＩＣカードおよびキーカード登録の処理命令が制御部１１入力された場合、以下のようにカード登録およびキーカード登録が行われる。
【００２４】
まず、ステップＳ１１０に示すように、制御部１１は、図示しない報知手段を介してユーザに対して、登録したいＩＣカードを車載用自動料金決済装置１０に挿入するよう要求する。この報知手段は、車載用自動料金決済装置１０に搭載される音声出力手段や表示手段でもよいし、外部接続されたカーナビゲーションや携帯端末などの音声手段や表示手段でもよい。
【００２５】
次に、ステップＳ１１１に示すように、制御部１１は、カード処理部１４に対して、車載用自動料金決済装置１０に挿入されたＩＣカードを確認するように指示を行う。カード処理部１４は、カードＩ／Ｆ部１５を介して、ＥＴＣカードまたはクレジットカードが挿入されたか確認する。
【００２６】
ステップＳ１１１でＮＯの場合、再度ステップＳ１１０の処理を行う。一方、ステップＳ１１１でＹＥＳの場合、カード処理部１４は、ステップＳ１１２の処理を行う。例えば、カード処理部１４は、ＥＴＣカードまたはクレジットカードが挿入されたと判定した場合、カードＩ／Ｆ部１５が読み出したＩＣカードの情報を取得し、メモリ１６に記憶する。この際、カード処理部１４は、ＩＣカード情報は暗号化してメモリ１６に記憶してもよい。
【００２７】
次に、ステップＳ１１３に示すように、制御部１１は、図示しない報知手段を介してユーザに対して、登録したいキーカードを車載用自動料金決済装置１０に挿入するよう要求する。
【００２８】
Ｓ１１４に示すように、制御部１１は、カード処理部１４にキーカードを確認するように指示する。カード処理部１４は、カードＩ／Ｆ部１５を介して、キーカードの条件を満たすＩＣカードが挿入されたか確認する。例えば、カード処理部１４は、情報を記憶可能なＩＣチップを有するＩＣカードであればキーカードと判定する。
【００２９】
ステップＳ１１４でＮＯの場合、再度ステップＳ１１３の処理が行われる。一方、ステップＳ１１４でＹＥＳの場合、ステップＳ１１５の処理が行われる。例えば、キーカードの条件を満たすＩＣカードが車載用自動料金決済装置１０に挿入された場合、Ｓ１１５に示すように、カード処理部１４は、カードＩ／Ｆ部１５が読み出したＩＣカードの情報を取得し、キーカードのカード情報をメモリ１６内のキーカードリストに記憶する。この際、カード処理部１４は、キーカードのカード情報を符号化、暗号化してメモリ１６に記憶してもよい。
【００３０】
そして、ステップＳ１１６に示すように、カード処理部１４は、キーカードとＩＣカードの関連付けを行う。例えば、カード処理部１４は、メモリ１６から、キーカードとＩＣカードの情報を取得して、それぞれの情報を関連付ける。例えば、キーカードリストの関連付けリストアドレスとＩＣカードのカード情報アドレスが関連付けられる。カード処理部１４は、この関連付け情報をメモリ１６内の関連付けリストに記憶する。以上でＩＣカードおよびキーカードの登録処理は完了する。
【００３１】
次に、図４に示すように、キーカードやＥＴＣカード、クレジットカードなどのＩＣカードが車載用自動料金決済装置１０に挿入された時、カード使用準備が行われる。以下、ＩＣカードの挿入が検知された後の処理について説明する。ＩＣカード挿入の検知は、ユーザによるカード挿入時や、カード挿入状態で電源ＯＮした時にカードＩ／Ｆ部１５によって行われる。
【００３２】
まず、ステップＳ１２０に示すように示すように、カード処理部１４は、カードＩ／Ｆ部１５を介して、ＩＣカードがＥＴＣカードまたはクレジットカードか確認する。ステップＳ１２０でＹＥＳの場合、ステップＳ１２１の処理が行われる。例えば、ステップＳ１２１では、カード処理部１４は、カードＩ／Ｆ部１５をが読み出したＩＣカードの情報を取得して、このＩＣカードの情報をメモリ１６の使用準備完了リストに登録する。
【００３３】
ステップＳ１２１の処理後、またはステップＳ１２０でＮＯの場合、ステップＳ１２２の処理が行われる。ステップＳ１２２に示すように、カード処理部１４は、カードＩ／Ｆ部１５を介して、ＩＣカードがキーカードか確認する。例えば、カード処理部１４は、カードＩ／Ｆ部１５が読み出したＩＣカードからキーカードの照会に必要な情報を取得し、メモリ１６内のキーカードリストに対応する情報が登録されているか照会する。
【００３４】
ステップＳ１２２でＹＥＳの場合、Ｓ１２３の処理が行われる。ステップＳ１２３に示すようにカード処理部１４は、カードＩ／Ｆ部１５が読み出したキーカードに関連付けられたＩＣカード情報を使用準備完了リストに登録する。例えば、カード処理部１４は、メモリ１６から、カードＩ／Ｆ部１５が読み出したキーカードのに関連付けリストアドレスに基づいて関連付けリストを取得する。そして、カード処理部１４は、その関連付けリストのカード情報アドレスに基づき、キーカードに対応付けられたＥＴＣカードやクレジットカード等の複数のＩＣカードのＩＣカード情報をメモリ１６から取得する。そして、カード処理部１４は、各ＩＣカードのＩＣカード情報の中の必要なデータをメモリ１６の使用準備完了リストに登録する。以上で使用準備処理は完了する。一方、ステップＳ１２２でＮＯの場合、そのまま処理は終了される。
【００３５】
次に、図５に示すように、図４で作成された使用準備完了リストを用いた決済が行われる。以下、図示しない路側装置から車載用自動料金決済装置１０がアンテナ１３や狭域通信部１２を介して決済要求を受信した後の処理について説明する。
【００３６】
まず、ステップＳ１３０に示すように、カード処理部１４は、使用するＩＣカードをメモリ１６内に記憶された使用準備完了リストから選択する。
【００３７】
ステップＳ１３１に示すように、カード処理部１４は、ステップＳ１３１で選択されたＩＣカードが、メモリ１６に記憶されたＩＣカードか、カードＩ／Ｆ部１５が今回検知したＩＣカードかを判定する。例えば、カード処理部１４は、使用準備完了リストに基づいてステップＳ１３１で選択されたＩＣカードの保存先種別を参照する。そして、カード処理部１４は、参照した保存先種別が「不揮発性メモリ」であれば、ステップＳ１３１で選択されたＩＣカードが「メモリ１６に記憶されたＩＣカード」であると判定する。一方、カード処理部１４は、参照した保存先種別が「カードホルダ」であれば、ステップＳ１３１で選択されたＩＣカードが「カードＩ／Ｆ部１５が今回検知したＩＣカード」と判定する。
【００３８】
ステップＳ１３１でＹＥＳの場合、ステップＳ１３２の処理が行われる。ステップＳ１３１で選択されたＩＣカードがメモリ１６に記憶されたＩＣカードであった場合、ステップＳ１３２に示すように、カード処理部１４は、メモリ１６内のＩＣカード情報を使用し
て決済処理を行う。例えば、カード処理部１４は、メモリ１６内の使用準備完了リストから、ステップＳ１３１で選択されたＩＣカードに対応するＩＣカード情報を参照する。この参照したＩＣカード情報は、制御部１１の命令によって、狭域通信部１２で、暗号化、変調が行われ、アンテナ１３を介して路側装置にデータ送信される。このデータ送信されたＩＣカード情報を用いて、車載用自動料金決済装置１０と路側装置との間で決済処理が完了する。
【００３９】
なお、カード処理部１４は、ステップＳ１３１でＹＥＳの場合、図示しない報知手段を介してユーザにパスワード入力を要求してもよい。カード処理部１４は、正しいパスワードが入力されたときのみステップＳ１３２の処理を許可することにより、セキュリティを高めることができる。
【００４０】
一方、ステップＳ１３１でＮＯの場合、ステップＳ１３３に示すようには、カード処理部１４は、カードＩ／Ｆ部１５が今回検知したＩＣカードを使用して決済処理を行う。以上で、決済処理は完了する。
【００４１】
以上のように本実施の形態によれば、カード処理部１４が、鍵として用いられるキーカードの情報とＩＣカードの情報とを関連付けてメモリ１６に記憶し、カードＩ／Ｆ部１５がキーカードを検知したときのみメモリ１６に登録されたＩＣカードを使用可能にする。したがって、複数のＩＣカードを決済処理ごとに入れ替えることなく使用でき、利便性を高めることができる。そして、キーカードに関連付けられたＩＣカードのみが使用可能になっており、キーカードを車載用自動料金決済装置１０に挿入したときのみメモリ１６に記憶されたＩＣカードを使用することができ、安全性を確保することができる。
【００４２】
（変形例１）
本変形例１ではＩＣカード情報とキーカート情報の登録処理について説明する。図６は、変形例１における車載用自動料金決済装置のＩＣカード情報とキーカード情報の登録処理を説明するフローチャート図である。
【００４３】
実施の形態１では、図３に示すように、ＩＣカード、キーカードの順で登録処理が行われたが、本変形例では、順序を逆にしてもよい。図６に示すように、キーカード情報の登録処理（ステップＳ１４０〜Ｓ１４２）の後にＩＣカードの登録処理（ステップＳ１４３〜Ｓ１４５）を行ってもよい。
【００４４】
（変形例２）
本変形例２ではＩＣカード情報とキーカート情報の登録処理について説明する。図７（ａ）は、変形例２における車載用自動料金決済装置のＩＣカード情報の登録処理を説明するフローチャート図である。図７（ｂ）は、変形例２における車載用自動料金決済装置のキーカード情報の登録処理を説明するフローチャート図である。
【００４５】
実施の形態１では、図３に示すように、ＩＣカード、キーカードそれぞれの情報の登録処理が行われたが、本変形例では、ＩＣカード情報の登録処理とキーカード情報の登録処理とを分けて行ってもよい。なお、実施の形態１の図３で示されるＩＣカード情報とキーカード情報の登録処理と同様の処理については詳細な説明を省略する。
【００４６】
まず、図７（ａ）に示すように、ＩＣカード情報の登録処理（ステップＳ１５０〜Ｓ１５３）が行われる。図７（ａ）のステップＳ１５０〜Ｓ１５２の処理は、図３のステップＳ１１０〜Ｓ１１２の処理にそれぞれ対応する。
【００４７】
ステップＳ１５２の処理の後、ステップＳ１５３に示すように、カード登録パスワード
が設定される。具体的には、例えば、カード処理部１４は、ステップＳ１５２で登録したＩＣカード情報を後の処理でキーカード情報に関連付ける際に入力するためのカード登録パスワードを図示しない報知手段を介して提示する。また、例えば、図示しない入力手段を介してユーザによって設定されてもよいし、カード番号がカード登録パスワードとして設定されてもよい。
【００４８】
次に、図７（ｂ）に示すように、キーカード情報の登録処理と、ＩＣカードとキーカードとの関連付けとが行われる。図７（ｂ）のステップＳ１６０〜Ｓ１６２の処理は、図３のステップＳ１１３〜Ｓ１１５の処理にそれぞれ対応する。
【００４９】
ステップＳ１６２の処理の後、ステップＳ１６３に示すように、カード登録パスワードが要求される。例えば、カード処理部１４は、図示しない報知手段を介してカード登録パスワードを要求する。
【００５０】
次に、ステップＳ１６４に示すように、カード処理部１４は、パスワード照会を行う。例えば、カード処理部１４は、図示しない入力手段を介してユーザによって入力されたパスワードがカード登録パスワードと一致するか確認する。具体的には、カード処理部１４は、メモリ１６のＩＣカード情報からカード登録パスワードを照会する。
【００５１】
そして、ステップＳ１６５に示すように、カード処理部１４は、パスワード照会の結果、入力されたパスワードと一致するカード登録パスワードを有するＩＣカードがあるか否かを判定する。
【００５２】
ステップＳ１６５でＮＯの場合、ステップＳ１６３の処理が再度行われる。一方、ステップＳ１６５でＹＥＳの場合、ステップＳ１６６に示すように、キーカードとＩＣカードの関連付けが行われる。図７（ｂ）のステップＳ１６６の処理は、図３のステップＳ１１６の処理に対応する。
【００５３】
（変形例３）
本変形例３ではＩＣカード情報とキーカート情報の登録処理について説明する。図８（ａ）は、変形例３における車載用自動料金決済装置のキーカード情報の登録処理を説明するフローチャート図である。図８（ｂ）は、変形例２における車載用自動料金決済装置のＩＣカード情報の登録処理を説明するフローチャート図である。
【００５４】
変形例２では、ＩＣカード情報の登録処理が先に行われ、キーカード情報の登録処理の際にカード登録パスワードを使用した関連付けが行われている。一方、本変形例３では、逆に、キーカード情報の登録処理が先に行われ、ＩＣカード情報の登録処理の際にキーカードパスワードを使用した関連付けが行われている。なお、実施の形態１の図３、変形例２の図７で示されるＩＣカード情報とキーカード情報の登録処理と同様の処理については詳細な説明を省略する。
【００５５】
まず、図８（ａ）に示すように、キーカード情報の登録処理（ステップＳ１７０〜Ｓ１７３）が行われる。図８（ａ）のステップＳ１７０〜Ｓ１７２の処理は、図３のステップＳ１１３〜Ｓ１１５または図７（ｂ）のステップＳ１６０〜Ｓ１６２の処理にそれぞれ対応する。
【００５６】
ステップＳ１７２の処理の後、ステップＳ１７３に示すように、キーカードパスワードが設定される。具体的には、例えば、カード処理部１４は、ステップＳ１７２で登録したキーカード情報を後の処理でＩＣカード情報と関連付ける際に入力するためのカード登録パスワードを図示しない報知手段を介して提示する。また、例えば、図示しない入力手段
を介してユーザによって設定されてもよいし、キーカード番号がキーカードパスワードとして設定されてもよい。
【００５７】
次に、図８（ｂ）に示すように、ＩＣカード情報の登録処理と、ＩＣカードとキーカードとの関連付けとが行われる。図８（ｂ）のステップＳ１８０〜Ｓ１８２の処理は、図３のステップＳ１１０〜Ｓ１１２または図７（ａ）のステップＳ１５０〜Ｓ１５２の処理にそれぞれ対応する。
【００５８】
ステップＳ１８２の処理の後、ステップＳ１８３に示すように、キーカードパスワードが要求される。例えば、カード処理部１４は、図示しない報知手段を介してキーカードパスワードを要求する。
【００５９】
次に、ステップＳ１８４に示すように、カード処理部１４は、パスワード照会を行う。例えば、カード処理部１４は、図示しない入力手段を介してユーザによって入力されたパスワードがキーカードパスワードと一致するか確認する。具体的には、カード処理部１４は、メモリ１６のキーカード情報からキーカードパスワードを照会する。
【００６０】
そして、ステップＳ１８５に示すように、カード処理部１４は、パスワード照会の結果、入力されたパスワードと一致するキーカードパスワードを有するキーカードがあるか否かを判定する。
【００６１】
ステップＳ１８５でＮＯの場合、ステップＳ１８３の処理が再度行われる。一方、ステップＳ１８５でＹＥＳの場合、ステップＳ１８６に示すように、キーカードとＩＣカードの関連付けが行われる。図８（ｂ）のステップＳ１８６の処理は、図３のステップＳ１１６または図７（ｂ）のステップＳ１６６の処理に対応する。
【００６２】
（実施の形態２）
以下、本発明の実施の形態２における車載用自動料金決済装置について図面を参照しながら説明する。本発明の実施の形態２における車載用自動料金決済装置の構成は、図１の車載用自動料金決済装置１０と同様であるため、その詳細な説明は省略する。
【００６３】
実施の形態１では、キーカードと登録したＩＣカードとが関連付けされるのに対し、実施の形態２では、キーカードと車載用自動料金決済装置１０とが関連付けられる点で異なる。
【００６４】
メモリ１６の不揮発性メモリには、カードリストが記憶される。カードリストは、車載用自動料金決済装置１０に記憶されたＩＣカードのリストであり、車載用自動料金決済装置１０に対して、カードリストを１つ持つ。
【００６５】
図９は、本発明の実施の形態２における車載用自動料金決済装置のキーカードリストと関連付けリストに関するメモリマップを説明する図である。図９に示すように、カードリストには、カード情報のアドレスを示すカード情報アドレスが記憶されている。カードリストは、キーカードがカードＩ／Ｆ部１５に検知された時に参照され、使用準備完了リストを作成するために使用される。使用準備完了リストは、現在使用できるカードのリストであり、挿入されたＩＣカードとカードリストに登録されたカードの一覧を示す。また、キーカード検索番号と同様に通常のＩＣカードに対しても、カード検索番号を用意し、関連付けリストや登録しているカードリストなどに記憶することで、カードの検索が容易になる。さらに、カード処理部１４は、同じＩＣカード検索番号が既に関連付けリスト中に登録されている場合に新たに登録しようとしているＩＣカードを登録しないようにしてもよい。これによって、ＩＣカードの重複登録を防止することができる。
【００６６】
以上のように構成された車載用自動料金決済装置１０について、以下にその処理動作を説明する。図１０は、本発明の実施の形態２における車載用自動料金決済装置のＩＣカード情報の登録処理を説明するフローチャート図である。図１１は、本発明の実施の形態２における車載用自動料金決済装置のキーカード情報の登録処理を説明するフローチャート図である。図１２は、本発明の実施の形態２における車載用自動料金決済装置のＩＣカードの使用準備処理を説明するフローチャート図である。
【００６７】
まず、図１０に示すように、ＩＣカード情報の処理登録が行われる。ステップＳ２１０〜Ｓ２１２の処理は、図３のステップＳ１１０〜Ｓ１１２の処理に対応する。次に、図１１に示すように、キーカード情報の処理登録が行われる。ステップＳ２２０〜Ｓ２２２の処理は、図３のステップＳ１１３〜Ｓ１１５の処理に対応する。次に、図１２に示すように、ＩＣカードの使用準備処理が行われる。ステップＳ２３０〜Ｓ２３３の処理は、図４のステップＳ１２０〜Ｓ１２３の処理に対応する。なお、決済処理は図５と同様の方法で行われる。
【００６８】
以上のように本実施の形態２によれば、実施の形態１の効果に加え、車載用自動料金決済装置１０にキーカードを挿入すれば、車載用自動料金決済装置１０に登録されたすべてのＩＣカードを使用することができる。
【００６９】
（実施の形態３）
以下、本発明の実施の形態３における車載用自動料金決済装置について図面を参照しながら説明する。
【００７０】
本発明の実施の形態３における車載用自動料金決済装置の構成は、図１の車載用自動料金決済装置１０と同様であるため、その詳細な説明は省略する。
【００７１】
実施の形態１では、ＩＣカード情報は、車載用自動料金決済装置１０が有するメモリ１６に記憶されたのに対し、実施の形態３では、キーカードのＩＣチップと車載用自動料金決済装置１０のメモリ１６とに１つのＩＣカード情報を分けて記憶される点で異なる。
【００７２】
メモリ１６の不揮発性メモリには、ＩＣカード情報の一部とキーカードリストと関連付けリストとが記憶される。不揮発性メモリに記憶されない残りのＩＣカード情報は、キーカードに記憶される。
【００７３】
以上のように構成された車載用自動料金決済装置１０について、以下にその処理動作を説明する。図１３は、本発明の実施の形態３における車載用自動料金決済装置のＩＣカード情報とキーカード情報の登録処理を説明するフローチャート図である。図１４は、本発明の実施の形態３における車載用自動料金決済装置のＩＣカードの使用準備処理を説明するフローチャート図である。
【００７４】
まず、図１３に示すように、ＩＣカード情報およびキーカード情報の処理登録が行われる。ステップＳ３１０〜Ｓ３１５の処理は、図３のステップＳ１１０〜Ｓ１１５の処理に対応する。
【００７５】
ステップＳ３１５の処理の後、ステップＳ３１６の処理が行われる。ステップＳ３１６では、メモリ１６に登録されたＩＣカード情報の一部がキーカードのＩＣチップに移動されする。例えば、カード処理部１４は、メモリ１６に一時登録したＩＣカード情報の一部を取得し、カードＩ／Ｆ部１５を介して、車載用自動料金決済装置１０に挿入されたキーカードのＩＣチップにこのＩＣカード情報の一部を書き込む。そして、カード処理部１４
は、メモリ１６に一時登録したカード情報の一部を削除する。次に、カード処理部１４はキーカードで復元されたＩＣカード情報をカードＩ／Ｆ部１５を介して取得し、メモリ１６に登録する。
【００７６】
次に、ステップＳ３１７に示すようにキーカードとＩＣカードの関連付けが行われる。ステップＳ３１７の処理は、図３のステップＳ１１６の処理に対応する。
【００７７】
次に、図１４に示すように、キーカードが車載用自動料金決済装置１０に挿入された時、ＩＣカードの使用準備処理が行われる。ステップＳ２３０〜Ｓ２３３の処理は、図４のステップＳ１２０〜Ｓ１２３の処理に対応する。なお、決済処理は、図５と同様の方法で行われる。
【００７８】
以上のように本実施の形態３によれば、キーカードと車載用自動料金決済装置１０のメモリ１６に記憶されたデータを合わせなければ、メモリ１６内に記憶されたＩＣカード情報を使用することができない。そのため、実施の形態１の効果ににおける安全性をより高めることができる。
【産業上の利用可能性】
【００７９】
本発明の車載用自動料金決済装置は、安全性、利便性の高い複数のＩＣカードを使用する可能性がある車載装置として有用である。
【符号の説明】
【００８０】
１０  車載用自動料金決済装置
１１  制御部
１２  狭域通信部
１３  アンテナ
１４  カード処理部
１５  カードＩ／Ｆ部
１６  メモリ
【図１】
2012203621.tif 000003
【図２】
2012203621.tif 000004
【図３】
2012203621.tif 000005
【図４】
2012203621.tif 000006
【図５】
2012203621.tif 000007
【図６】
2012203621.tif 000008
【図７】
2012203621.tif 000009
【図８】
2012203621.tif 000010
【図９】
2012203621.tif 000011
【図１０】
2012203621.tif 000012
【図１１】
2012203621.tif 000013
【図１２】
2012203621.tif 000014
【図１３】
2012203621.tif 000015
【図１４】
2012203621.tif 000016